(57)【要約】【課題】従来よりも参照光によるノイズを低減したホログラフィを利用した光情報再生装置および光情報記憶再生装置を提供する。【解決手段】再生用参照光１０の光路および再生光１１の光路が少なくとも一部において重畳するように配置された光学系と、重畳した光路上に、再生光１１を通し、再生用参照光１０が記憶媒体５によって反射された反射光１２を遮断する手段１を設ける。【選択図】      図１
2005031212.tif 000002
【特許請求の範囲】
【請求項１】
情報記憶層に干渉パターンとして情報を記憶した記憶媒体に再生用参照光を照射して発生する再生光を検出して前記情報を再生する光情報再生装置であって、
前記再生用参照光の光路および前記再生光の光路が少なくとも一部において重畳するように配置された光学系と、前記重畳した光路上に、前記再生光を通し、前記再生用参照光が前記記憶媒体によって反射された反射光を遮断する手段を設けたことを特徴とする光情報再生装置。
【請求項２】
前記手段は、前記再生光を偏光しないで通過させる開口を有し前記再生用参照光を偏光することができる偏光板と、前記偏光板よりも前記記憶媒体側の光路上に配置された４分の１波長板であることを特徴とする請求項１に記載の光情報再生装置。
【請求項３】
前記４分の１波長板は、前記記憶媒体内に設けられた４分の１波長層であることを特徴とする請求項２に記載の光情報再生装置。
【請求項４】
前記手段は、前記再生光の全部および前記再生用参照光の一部を通し、当該一部の再生用参照光が前記記憶媒体によって反射した反射光を遮断する形状の開口を備えたアパーチャであることを特徴とする請求項１に記載の光情報再生装置。
【請求項５】
前記アパーチャの再生用参照光の一部を通す部分と再生用参照光の反射光を遮断する部分は、光軸を中心として点対称であることを特徴とする請求項４に記載の光情報再生装置。
【請求項６】
空間的に変調することで情報を担持した情報光と、記憶用参照光とを記憶媒体の情報記憶層において干渉させ、当該干渉パターンによって情報を記憶し、前記情報記憶層に再生用参照光を照射して発生する再生光を検出して前記情報を再生する光情報記憶再生装置であって、
前記情報光の光路、前記記憶用参照光の光路、前記再生用参照光の光路および前記再生光の光路が少なくとも一部において重畳するように配置された光学系と、前記重畳した光路上に、前記情報光および前記再生光を通し、前記再生用参照光が前記記憶媒体によって反射された反射光を遮断する手段を設けたことを特徴とする光情報記憶再生装置。
【請求項７】
前記手段は、前記情報光および前記再生光を偏光しないで通過させる開口を有し前記再生用参照光を偏光することができる偏光板と、前記偏光板よりも前記記憶媒体側の光路上に配置された４分の１波長板であることを特徴とする請求項６に記載の光情報記憶再生装置。
【請求項８】
前記４分の１波長板は、前記記憶媒体内に設けられた４分の１波長層であることを特徴とする請求項７に記載の光情報記憶再生装置。
【請求項９】
前記手段は、前記情報光の全部、前記再生光の全部および前記再生用参照光の一部を通し、当該一部の再生用参照光が前記記憶媒体によって反射した反射光を遮断する形状の開口を備えたアパーチャであることを特徴とする請求項６に記載の光情報記憶再生装置。
【請求項１０】
前記アパーチャの再生用参照光の一部を通す部分と、再生用参照光の反射光を遮断する部分は、光軸を中心として点対称であることを特徴とする請求項９に記載の光情報記憶再生装置。
【発明の詳細な説明】
【０００１】
【発明の属する技術分野】
本発明は、ホログラフィを利用して記憶媒体の情報記憶層に記憶された情報を再生用参照光を照射して再生する光情報再生装置および空間的に変調することで情報を担持した情報光と記憶用参照光との干渉を利用して記憶媒体の情報記憶層に情報を記憶し、記憶された情報を再生用参照光を照射して再生する光情報記憶再生装置に関する。
【０００２】
【従来の技術】
従来、ホログラフィを利用して記憶媒体に情報を記憶するホログラフィック記憶は、一般的に、イメージ情報を担持した情報光と記憶用参照光とを記憶媒体の情報記憶層で重ね合わせ、そのときにできる干渉パターンを記憶媒体に書き込むことによって行われる。このように記憶媒体の情報記憶層にホログラフィを利用して記憶された情報を再生するには、再生用参照光を記憶媒体に照射し、再生用参照光が情報記憶層の干渉パターンによって回折され、記憶時に情報光が担持していたイメージ情報を持った再生光が発生するので、この再生光を検出することでイメージ情報を再生するのである（特許文献１参照）。
【０００３】
再生光は、再生用参照光の光路を逆に辿っていき、途中で偏光ビームスプリッタによって検出器に向かって再生用参照光の光路から別れる。このため、再生光の光路と再生用参照光の光路は大部分において重畳している。
【０００４】
ところで、従来のホログラフィック記憶を用いて記憶した情報を再生すると、多数のノイズが発見された。ノイズの原因の一つに、イメージ情報を持つ再生光だけではなく、再生用参照光が記憶媒体の反射層によって反射した反射光も再生光に混在して検出されてしまうことが挙げられる。
【０００５】
このノイズを減らすために、再生用参照光の反射光を除去するアパーチャを設けることが検討されていたが、上述したとおり、再生用参照光の光路と再生光の光路は大部分において重畳しているので、重畳した部分にアパーチャを配置すると記憶媒体に入射する再生用参照光自体も遮断してしまうことになる。よって、従来、アパーチャは、再生光のみの光路上に配置して反射光を除去していた。
【０００６】
【特許文献１】
特開平１１−３１１９３８号公報
【０００７】
【発明が解決しようとする課題】
しかしながら、従来の反射光を除去するアパーチャは、再生光のみの光路上に配置していたので、反射してからアパーチャまでの距離が長く、その間に反射光が散乱するため、アパーチャによって反射光を十分に除去できていなかった。
【０００８】
また、情報を記憶する際に、情報光と記憶用参照光の間に生じる干渉パターンだけではなく、記憶用参照光同士が干渉して干渉パターンが生じ、この記憶用参照光同士の干渉パターンがノイズとして記憶されることが考えられる。記憶用参照光同士の干渉は、記憶媒体に入射した記憶用参照光同士でも干渉が生じるが、記憶媒体の反射層で反射された記憶用参照光の反射光同士でも干渉が生じる。
【０００９】
本発明は、従来よりも参照光によるノイズを低減したホログラフィを利用した光情報再生装置および光情報記憶再生装置を提供することを目的とする。
【００１０】
【課題を解決するための手段】
前述した目的を達成するため本発明の光情報再生装置は、情報記憶層に干渉パターンとして情報を記憶した記憶媒体に再生用参照光を照射して発生する再生光を検出して前記情報を再生する光情報再生装置であって、前記再生用参照光の光路および前記再生光の光路が少なくとも一部において重畳するように配置された光学系と、前記重畳した光路上に、前記再生光を通し、前記再生用参照光が前記記憶媒体によって反射された反射光を遮断する手段を設けたことを特徴とする。
【００１１】
そして、このような構成を採用したことにより、重畳した光路上において、再生用参照光が記憶媒体によって反射された反射光を遮断することができ、反射光の散乱によるノイズを低減することができる。他方、再生光は通過できるので、重畳した光路上に配置しても情報の再生には影響がない。
【００１２】
また、本発明の光情報再生装置は、前記手段が、前記再生光を偏光しないで通過させる開口を有し前記再生用参照光を偏光することができる偏光板と、前記偏光板よりも前記記憶媒体側の光路上に配置された４分の１波長板であることを特徴とする。
【００１３】
かかる構成を採用すると、偏光板を通過した再生用参照光が、記憶媒体側の光路上に配置された４分の１波長板によって、偏光板の偏光面と垂直な偏光の光となって反射されるので、偏光板によって再生用参照光の反射光を除去することができる。再生光は、偏光板の開口を通過するので、偏光面が垂直になっても偏光板によって遮断されない。
【００１４】
更に、本発明の光情報再生装置は、前記４分の１波長板が、前記記憶媒体内に設けられた４分の１波長層であることが好ましい。
【００１５】
また、本発明の光情報再生装置は、前記手段が、前記再生光の全部および前記再生用参照光の一部を通し、当該一部の再生用参照光が前記記憶媒体によって反射した反射光を遮断する形状の開口を備えたアパーチャであることを特徴とする。
【００１６】
かかる構成を採用すると、アパーチャを通過した一部の再生用参照光が記憶媒体の反射層と反射して反射光が発生しても、アパーチャの反射光を遮断する形状によって除去することができる。また、再生光の全部がアパーチャを通過できるので、重畳する光路上にアパーチャを配置しても、再生には影響しない。
【００１７】
更に、本発明の光情報再生装置は、前記アパーチャの再生用参照光の一部を通す部分と再生用参照光の反射光を遮断する部分が、光軸を中心として点対称であることが好ましい。
【００１８】
かかる構成を採用すると、アパーチャを通過する再生用参照光の形状と、光軸を中心として反対側に位置する反射光を遮断する部分の形状が等しくなり、再生効率を高めて効果的に反射光を除去することができる。
【００１９】
また、本発明の光情報記憶再生装置は、空間的に変調することで情報を担持した情報光と、記憶用参照光とを記憶媒体の情報記憶層において干渉させ、当該干渉パターンによって情報を記憶し、前記情報記憶層に再生用参照光を照射して発生する再生光を検出して前記情報を再生する光情報記憶再生装置であって、前記情報光の光路、前記記憶用参照光の光路、前記再生用参照光の光路および前記再生光の光路が少なくとも一部において重畳するように配置された光学系と、前記重畳した光路上に、前記情報光および前記再生光を通し、前記再生用参照光が前記記憶媒体によって反射された反射光を遮断する手段を設けたことを特徴とする。
【００２０】
そして、このような構成を採用したことにより、重畳した光路上において、再生用参照光が記憶媒体によって反射された反射光を遮断することができ、反射光の散乱によるノイズを低減することができる。他方、情報光や再生光は通過できるので、重畳した光路上に配置しても情報の記憶や再生には影響がない。
【００２１】
更に、本発明の光情報記憶再生装置は、前記手段が、前記情報光および前記再生光を偏光しないで通過させる開口を有し前記再生用参照光を偏光することができる偏光板と、前記偏光板よりも前記記憶媒体側の光路上に配置された４分の１波長板であることを特徴とする。
【００２２】
かかる構成を採用すると、偏光板を通過した再生用参照光が、記憶媒体側の光路上に配置された４分の１波長板によって、偏光板の偏光面と垂直な偏光の光となって反射されるので、偏光板によって再生用参照光の反射光を除去することができる。情報光や再生光は、偏光板の開口を通過するので、重畳する光路上に偏光板を配置しても情報の記憶や再生には何ら支障がない。
【００２３】
更に、本発明の光情報記憶再生装置は、前記４分の１波長板は、前記記憶媒体内に設けられた４分の１波長層であることを特徴とする。
【００２４】
かかる構成を採用すると、情報を記憶するための干渉パターンを記憶するための光の偏光と、記憶用参照光の反射光の偏光が異なるため、記憶用参照光の反射光同士の干渉によるノイズの影響を小さくすることができる。
【００２５】
また、本発明の光情報記憶再生装置は、前記手段は、前記情報光の全部、前記再生光の全部および前記再生用参照光の一部を通し、当該一部の再生用参照光が前記記憶媒体によって反射した反射光を遮断する形状の開口を備えたアパーチャであることことを特徴とする。
【００２６】
かかる構成を採用すると、アパーチャを通過した一部の再生用参照光が記憶媒体の反射層と反射して反射光が発生しても、アパーチャの反射光を遮断する形状によって除去することができる。また、情報光の全部および再生光の全部がアパーチャを通過できるので、重畳する光路上にアパーチャを配置しても、記憶および再生には影響しない。加えて、記憶時における記憶用参照光の光路も再生用参照光の光路と同じ光路を通るので、再生用参照光も一部しか透過せず、再生用参照光同士の干渉も起き難いし、再生用参照光の反射光同士の干渉も起き難い    ので、誤った情報を記憶することによるノイズも低減することができる。
【００２７】
また、本発明の光情報記憶再生装置は、前記アパーチャの再生用参照光の一部を通す部分と、再生用参照光の反射光を遮断する部分は、光軸を中心として点対称であることを特徴とする。
【００２８】
かかる構成を採用すると、アパーチャを通過する再生用参照光の形状と、光軸を中心として反対側に位置する反射光を遮断する部分の形状が等しくなり、再生効率を高めて効果的に反射光を除去することができる。
【００２９】
【発明の実施の形態】
以下、本発明の実施の形態を図面について説明する。図１は、再生光、または情報光と再生光を通し、再生用参照光が記憶媒体によって反射された反射光を遮断する手段１の実施態様を示している。手段１は、偏光板２と、４分の１波長板３とを有している。偏光板２として、図１に示すように、基板２ｂの上に偏光フィルム２ａを積層した構成を採用することができる。偏光板２は、光情報再生装置においては再生光を偏光しないように、光情報記憶再生装置においては情報光および再生光を偏光しないように開口２ｃが設けられている。なお、偏光板２の開口２ｃとは、偏光板２において偏光しない部分を指し、物理的な穴を必要とするものではない。勿論、物理的な穴を形成して開口２ｃとすることも可能である。図１においては、偏光フィルム２ａの一部を除去して、偏光板２の開口２ｃを形成している。
【００３０】
図２は、開口２ｃの一例を示す図であり、偏光板２を光軸方向から見た平面図である。図２においては、偏光板２の光軸ｘを中心とした円形の開口２ｃが設けられており、その他の部分は偏光フィルム２ａ（斜線を付してある）が設けられている。図２において、再生光、または情報光と再生光は、光軸ｘを中心とした円形の開口２ｃ内を通過し、再生用参照光は、開口２ｃの周囲に配置された円環状（図２において点線で示す）の領域９を通過するので、偏光板２によって再生用参照光を偏光することができる。再生用参照光は、偏光子の存在する部分を通過するので偏光することが可能であるが、再生用参照光は予め偏光板２の偏光面と同じ直線偏光に加工されている場合が多く、実際に偏光板２による偏光はなされない場合もある。
【００３１】
４分の１波長板３は、偏光板２よりも記憶媒体側の光路上に配置されており、互いに垂直な方向に振動する偏光の光路差を４分の１波長変化させる位相板である。４分の１波長板３によって、Ｐ偏光の光は円偏光になり、更にこの円偏光の光が４分の１波長板３を通過するとＳ偏光になるのである。図１においては、４分の１波長板３は、偏光板２と対物レンズ４との間に配置しているが、この位置に固定されるものではない。
【００３２】
図示しない光源から、これまた図示しない光学系によって成形された再生用参照光１０が偏光板２に入射すると、偏光板２の偏光面に一致する偏光の光だけが透過する。図１においては、偏光板２は、Ｐ偏光の光を透過する例を示す。従って、偏光板２を通過した再生用参照光はＰ偏光となっている。なお、説明の都合上、図１では左側に入射する再生用参照光１０しか図示していないが、実際は図２の円環状の領域９に再生用参照光１０が照射される。
【００３３】
そして、Ｐ偏光の再生用参照光が４分の１波長板３を通過することで、円偏光となる。この円偏光の再生用参照光は、対物レンズ４によって記憶媒体５の情報記憶層６の記憶領域６ａに入射し、記憶領域６ａに記憶された干渉パターンによって回折され、記憶時に情報光が担持していたイメージ情報を持った円偏光の再生光１１を発生させる。円偏光の再生用参照光は、記憶媒体５の反射層７に反射して円偏光の反射光１２を発生させる。
【００３４】
発生した再生光１１および反射光１２は、対物レンズ４を通り、平行光線束となり、続く４分の１波長板３を通過することで、円偏光からＳ偏光となる。このため、偏光板２を通過した再生用参照光の反射光は、Ｓ偏光の状態でＰ偏光の光しか透過しない偏光板２に入射することになるので、偏光板２によって遮断される。他方、再生光１１もＳ偏光であるが、再生光１１は、偏光板２に設けられた開口２ｃに入射するので、偏光板２を通過することができる。
【００３５】
こうして、光路が重畳する位置において、再生用参照光の反射光１２を遮断することができるので、反射光１２が散乱する前に除去することができ、散乱した反射光によるノイズを低減することができる。
【００３６】
図３は、図１の手段１の変形例である。図３においては、記憶媒体５の情報記憶層６と反射層８との間に４分の１波長層８が設けられており、この４分の１波長層８が、４分の１波長板として機能する。この場合は、記憶媒体５の４分の１波長層８も光情報再生装置における再生用参照光の反射光１２を除去する構成の一部として協働する。
【００３７】
図３においても、再生用参照光１０が偏光板２に入射すると、偏光板２の偏光面であるＰ偏光に一致する偏光の光だけが透過する。そして、Ｐ偏光の再生用参照光が対物レンズ４によって記憶媒体５の情報記憶層６の記憶領域６ａに入射し、記憶領域６ａに記憶された干渉パターンによって回折され、記憶時に情報光が担持していたイメージ情報を持った再生光１１を発生させる。Ｐ偏光の再生用参照光は、４分の１波長層８に入射し、反射層７によって反射され反射光１２となるが、４分の１波長層８を往復しているので、４分の１波長層８から出射された反射光１２はＳ偏光になっている（４分の１波長層８を往復することは、４分の１波長層８を２回通過したことと同じである）。
【００３８】
このため、偏光板２を通過した再生用参照光の反射光１２は、Ｓ偏光の状態でＰ偏光の光しか透過しない偏光板２に入射するので、偏光板２によって遮断されることになる。他方、再生光１１は、再生光１１を通過できるように開口２ｃを有しているため、偏光板２の影響を受けない。なお、再生光１１も、Ｐ偏光の再生用参照光によって発生し、最初はＰ偏光であるが、その後４分の１波長層８を往復するので、結局Ｓ偏光になっている。
【００３９】
こうして、光路が重畳する位置で、再生用参照光の反射光１２を遮断することができるので、反射光１２が散乱する前に除去することができ、散乱した反射光によるノイズを低減することができる。
【００４０】
また、記憶媒体５内の４分の１波長層８を４分の１波長板として利用すると、記憶時における記憶用参照光の反射光同士の干渉によるノイズの影響を小さくすることができる。その理由は、記憶時における記憶用参照光の光路は、上記の再生用参照光の光路と同じ光路を経ているので、記憶媒体５に入射する際はＰ偏光であり、情報光とＰ偏光の記憶用参照光との干渉パターンが情報記憶層６に情報として記憶される。他方、記憶用参照光の反射光は、４分の１波長層８を往復するのでＳ偏光となっている。従って、Ｐ偏光の再生用参照光によって再生される情報光とＰ偏光の記憶用参照光との干渉パターンは、Ｓ偏光の反射光同士の干渉パターンとは偏光が異なり、Ｐ偏光の再生用参照光のノイズとなり難いのである。
【００４１】
図４は、再生光、または情報光および再生光を通し、再生用参照光の反射光を遮断する手段４１の他の実施態様を示している。手段４１は、アパーチャ４２を有している。アパーチャ４２は、再生光５１の全部および再生用参照光の一部５０ａを通し、当該一部の再生用参照光５０ａが記憶媒体５によって反射した反射光５２を遮断する形状の開口４２ａを備えている。
【００４２】
アパーチャ４２の形状は、再生用参照光の一部５０ａを通す部分に対して、光軸を中心として反対側に再生用参照光の反射光を遮断する部分を設けた構成を採用でき、再生用参照光の一部を通す部分と再生用参照光の反射光を遮断する部分が、光軸を中心として点対称に形成されている構成が好ましい。
【００４３】
図５は、アパーチャ４２の一例を示す図であり、アパーチャ４２を光軸方向から見た平面図である。図５において、アパーチャ４２は、光軸ｘを中心とした円形の部分４２ｂ（一部点線で円形を示す）と再生用参照光を通す部分４２ｃとを組み合わせた形状の開口４２ａを有している。開口４２ａ以外の領域４２ｄは、光を遮断する素材であり、再生用参照光を通す部分４２ｃ間は、再生用参照光の反射光を遮断する部分４２ｅになる。図５において、再生光、または情報光および再生光は、光軸ｘを中心とした円形の部分４２ｂの開口を通過し、再生用参照光の一部５０ａは、再生用参照光を通す部分４２ｃの開口を通過する。そして、他の再生用参照光５０ｂは、領域４２ｅによって遮断され、記憶媒体へは到達しない。
【００４４】
図４において、図示しない光源から、これまた図示しない光学系によって成形された再生用参照光５０がアパーチャ４２に入射すると、アパーチャ４２の再生用参照光を通す部分４２ｃにおいては再生用参照光５０ａが通過でき、再生用参照光の反射光を遮断する部分４２ｅでは再生用参照光５０ｂが遮断されるので、再生用参照光の一部５０ａが通過することになる。
【００４５】
通過した再生用参照光５０ａは、対物レンズ４４によって記憶媒体５の情報記憶層６の記憶領域６ａに入射し、記憶領域６ａに記憶された干渉パターンによって回折され、記憶時に情報光が担持していたイメージ情報を持った再生光５１を発生させる。再生用参照光の一部５０ａは、記憶媒体５の反射層７に反射して反射光５２を発生させる。反射光５２は、再生用参照光の一部５０ａと光軸ｘに対して反対の方向に進んでいくため、光軸ｘを中心として再生用参照光を通す部分４２ｃの反対側に形成されている再生用参照光の反射光を遮断する部分４２ｅによって遮断される。なお、アパーチャ４２の開口４２ａとは、アパーチャ４２を光が通過できる部分を指し、物理的な穴を必要とするものではない。勿論、物理的な穴を形成して開口４２ａとすることも可能である
こうして、光路が重畳する位置で、再生用参照光の反射光５２を遮断することができるので、反射光５２が散乱する前に除去することができ、散乱した反射光によるノイズを低減することができる。
【００４６】
また、このアパーチャ４２を利用すると、記憶時における記憶用参照光同士の干渉および記憶用参照光の反射光同士の干渉によるノイズの影響を小さくすることができる。その理由は、記憶時における記憶用参照光の光路も、上記の再生用参照光の光路と同じ光路を通るので、再生用参照光を通す部分４２ｃを通過した記憶用参照光の反対側は、反射光を遮断する部分４２ｅによって記憶用参照光が遮断されるため、記憶用参照光同士の干渉によるノイズの影響を小さくすることができ、更には、通過した記憶用参照光は、反対側からの記憶用参照光自体が存在しないから、記憶用参照光の反射光同士の干渉によるノイズの影響も小さくすることができる。
【００４７】
図６は、本発明の光情報記憶再生装置６０の実施態様を示す概略断面図である。光情報記憶再生装置６０は、記憶再生用光源６２、コリメータレンズ６４、偏光ビームスプリッタ６６、空間光変調器（情報表現手段）６８、リレーレンズ７０ａ、７０ｂ、ミラー７２、情報光および再生光を通し再生用参照光の反射光を遮断する手段７４、対物レンズ７６、光検出器７８を備えている。図６では、記憶媒体９０は簡単に図示しており、円形透明基板９１、情報記憶層９２、反射層９３および基板９４を示しており、ピットなどの構成は省略している。
【００４８】
記憶再生用光源６０としては、コヒーレントな直線偏光の光線束を発生するもので、例えば半導体レーザを用いることができる。記憶再生用光源６０は、高密度記憶を行うために波長が短い方が有利であり、青色レーザやグリーンレーザを採用することが好ましい。
【００４９】
コリメータレンズ６４は記憶再生用光源６２からの発散光線束を略平行光線とするものである。偏光ビームスプリッタ６６は、記憶再生用光源６２から発生された直線偏光（例えばＰ偏光）を反射または透過し、当該偏光に垂直な直線偏光（例えばＳ偏光）を透過または反射するように構成されている。
【００５０】
空間光変調器（情報表現手段）６８は、格子状に配列された多数の画素を有し、各画素毎に、入射光の偏光方向に対して出射光の偏光方向を９０°回転させるか否かを選択できるようになっている。この空間光変調器６８としては、例えば、液晶の旋光性を利用した反射型液晶素子において入出射側の偏光板を除いたものを用いることができる。空間光変調器６８は、情報光生成手段、記憶用参照光生成手段および再生用参照光生成手段を構成する。
【００５１】
リレーレンズ７０ａ、７０ｂは、一対のレンズ群であり、空間光変調器６８に表示された像を再び実像として結像するものである。
【００５２】
ミラー７２は、情報光、記憶用参照光および再生用参照光の進行方向を対物レンズ７６に向ける光学素子であり、反射鏡、ハーフミラー、４５°直角プリズム、ペンタゴナルプリズムなどを採用することができる。
【００５３】
情報光および再生光を通し再生用参照光の反射光を遮断する手段７４は、図１乃至図５において説明した構成であり、情報光および再生光を通過させる開口を有しており、再生用参照光が記憶媒体９０の反射層９３によって反射された反射光を遮断するものである。なお、手段７４の位置は、ミラー７２と対物レンズ７６の間に固定されるものではないが、反射光の散乱を防止するためにも、なるべ記憶媒体９０の近くに配置することが好ましい。
【００５４】
対物レンズ７６は、情報光、記憶用参照光および再生用参照光を記憶媒体９０に向けて収束させるものであり、情報光、記憶用参照光および再生用参照光は、対物レンズ８０によって記憶媒体９０の所定の位置に照射されることになる。
【００５５】
光検出器７８は、再生光を受光して記憶された情報を再生するものであり、格子状に配列された多数の受光素子を有している。受光素子としてＣＣＤ（Ｃｈａｒｇｅ  Ｃｏｕｐｌｅｄ  Ｄｅｖｉｃｅ）を採用したＣＣＤアレイや、ＣＭＯＳ（Ｃｏｍｐｌｅｍｅｎｔａｒｙ  Ｍｅｔａｌ‐Ｏｘｉｄｅ  Ｓｅｍｉｃｏｎｄｕｃｔｏｒ）を採用したＣＭＯＳセンサーなどを使用することができる。
【００５６】
図６の光情報記憶再生装置における記憶時および再生時の光路について説明する。まず、記憶再生用光源６２から出射した光線束は、コリメータレンズ６４によって略平行光線束となり、偏光ビームスプリッタ６６によって反射し、空間光変調器６８に入射する。
【００５７】
空間光変調器６８は、各画素毎に偏光方向を９０°回転させるか否かを選択して、変調パターンを表示することで、入射した光に所定の情報を担持させることができる。表示パターンの中心に記憶したい情報のパターンを表示し、その周囲に記憶用参照光を生成するためのパターンを円環状に表示することで、情報光および記憶用参照光を同時に生成することができる。
【００５８】
こうして生成された情報光および記憶用参照光は、偏光ビームスプリッタ６６を透過し、リレーレンズ７０ａ、７０ｂを経て、ミラー７２で対物レンズ７６の方向に向かって進行する。そして、情報光および記憶用参照光は、情報光および再生光を通し再生用参照光の反射光を遮断する手段７４を通過し、対物レンズ７６によって記憶媒体９０に照射される。記憶媒体９０において、情報光および記憶用参照光が干渉し、その干渉パターンが情報記憶層９２に記憶される。
【００５９】
再生時においては、空間光変調器６８に表示される変調パターンが、再生用参照光を生成するためのパターンが表示され、再生用参照光が生成される。再生用参照光も、基本的に記憶用参照光と同じ光路を進む。そして、再生用参照光が記憶媒体９０に照射されると、情報記憶層９２に記憶されている干渉パターンによって回折され、干渉パターンの情報を担持した再生光が発生する。また、記憶媒体９０の反射層９３によって再生用参照光の反射光も発生する。
【００６０】
再生光は、対物レンズ７６によって平行光線束になり、情報光および再生光を通し再生用参照光の反射光を遮断する手段７４を通過する。手段７４において、再生用参照光が記憶媒体９０の反射層９３によって反射された反射光が遮断される。このため、図６において、光路中に記載されている記憶媒体９０から遠ざかる方向の矢印は、手段７４以降は、中央の光路だけにしか付されていないのである。その後、再生光は、ミラー７２で反射され、リレーレンズ７０ａ、７０ｂを経て、偏光ビームスプリッタ６６によって反射され、光検出器７８によって受光され再生される。
【００６１】
なお、図６においては空間光変調器６８によって同時に情報光および記憶用参照光を生成する光情報記憶再生装置を示しているが、情報光用の光路と記憶用参照光用の光路にビームスプリッタによって分離し、それぞれ情報光および記憶用参照光を生成し、再び情報光および記憶用参照光をビームスプリッタによって合成して同軸の記憶用光として記憶媒体に照射する構成としても良い。情報光および記憶用参照光を別々の光路で生成する装置は、特開平１１−３１１９３８号公報において詳述されている。
【００６２】
上記の構成はあくまで実施態様の一つであり、本発明の光情報記憶再生装置を限定するものではなく、各構成要素の配置を変更することができる。また、光情報再生装置とする場合は、記憶機能を排除すればよく、記憶再生用光源２２に変えて再生用光源を採用し、記憶用光を作成する光学系が不要となる。再生用光源は、記憶再生用光源６２に比べて情報記憶層に記憶する必要がないので、低出力のものでよい。上記構成の光情報記憶再生装置の場合は、空間光変調器６８が記憶用光の生成と、再生用光の生成を兼ねているので、記憶再生用光源を再生用光源に変更するだけで、光情報再生装置とすることができる。
【００６３】
本発明は、前述した実施の形態に限定されるものではなく、必要に応じて種々の変更が可能である。
【図面の簡単な説明】
【図１】再生光を通し、再生用参照光の反射光を遮断する手段の実施態様を示す概略断面図
【図２】本発明の偏光板の平面図
【図３】再生光を通し、再生用参照光の反射光を遮断する手段の他の実施態様を示す概略断面図
【図４】再生光を通し、再生用参照光の反射光を遮断する手段の他の実施態様を示す概略断面図
【図５】本発明のアパーチャの平面図
【図６】本発明の光情報記憶再生装置の実施態様を示す概略断面図
【符号の説明】
１  反射光を遮断する手段
２  偏光板
３  ４分の１波長板
４  対物レンズ
５  記憶媒体
６  情報記憶層
７  反射層
１０  再生用参照光
１１  再生光
１２  反射光
【図１】
2005031212.tif 000003
【図２】
2005031212.tif 000004
【図３】
2005031212.tif 000005
【図４】
2005031212.tif 000006
【図５】
2005031212.tif 000007
【図６】
2005031212.tif 000008